(57)【要約】      （修正有）【課題】絶縁材の被覆により外径が異なっても、誘導電極のリング中心が噴射ノズルのノズル中心と一致するよう保持させる作業を簡単且つ容易に行えるようにする帯電水粒子散布装置の提供。【解決手段】誘導電極部20は噴出ノズル部18からの噴出水が分裂して水粒子を生成する部位近傍に誘導電極保持部24により保持され、誘導電極部の保持位置を決めるテコ構造の誘導電極保持アーム26を備え、誘導電極保持アームは誘導電極部のリング部20aを取り囲む３箇所に配置され、作用点Ｑとなる把持部28をリング部の外周部の３箇所に当接してリング部を三方から中心方向に挟持し、支点Ｐに当たる部分をボディー溝30に当接させ、力点Ｒの全周箇所に対して同時にプレート32を介して押圧部34から所定の締め付け力を与えることで把持部に押圧力を与え、リング部のリング中心軸線が噴射ノズル部18の軸心線３６と一致して保持される帯電水粒子散布装置。【選択図】図２
2018183712.tif 000002
【特許請求の範囲】
【請求項１】
装置ボディーに、
加圧された水を噴出ノズル部に導く絶縁体材質で作られた液体導管部と、
前記液体導管部から加圧供給された前記水を噴出し水粒子群を生成する噴射ノズル部と、
所定の電圧が印加されて所定の電界を形成し、前記噴出ノズル部で生成した前記水粒子群を前記電界によって誘導帯電させて帯電した水粒子群を生成するリング形状の誘導電極部と、
前記液体導管部の内部に配置されるか、又は、前記液体導管部の一部分を導体材質とすることで構成され、前記水と接触して前記誘導電極部に印加する電圧の基準電位を与える水側電極部と、
前記誘導電極部を前記噴出ノズル部からの噴出水が分裂して前記水粒子を生成する部位近傍に保持させる誘導電極保持部と、
が設けられた帯電水粒子散布装置に於いて、
前記誘導電極部は導電性のある電極心材を絶縁材にて被覆して形成され、
前記誘導電極保持部は、前記誘導電極部の保持位置を決める絶縁体材質のテコ構造の誘導電極保持アームを備え、
前記誘導電極保持アームは、前記誘導電極部のリング部を取り囲む少なくとも３箇所に配置され、前記テコ構造の作用点となる把持部を前記リング部の外周部の前記少なくとも３箇所に当接して前記リング部を三方から中心方向に挟持し、前記テコ構造の支点に当たる部分を前記装置ボディーに形成されたボディー溝に当接させ、前記テコ構造の力点部の全箇所に対して同時に、プレートを介して、押圧部から所定の締め付け力を与えることで、前記リング部の外周部に当接した前記把持部に同時に押圧力を与え、前記リング部のリング中心が前記噴射ノズルのノズル中心と一致して保持されるように構成されたことを特徴とする帯電水粒子散布装置。
【請求項２】
装置ボディーに、
加圧された水を噴出ノズル部に導く絶縁体材質で作られた液体導管部と、
前記液体導管部から加圧供給された前記水を噴出し水粒子群を生成する噴射ノズル部と、
所定の電圧が印加されて所定の電界を形成し、前記噴出ノズル部で生成した前記水粒子群を前記電界によって誘導帯電させて帯電した水粒子群を生成するリング形状の誘導電極部と、
前記液体導管部の内部に配置されるか、又は、前記液体導管部の一部分を導体材質とすることで構成され、前記水と接触して前記誘導電極部に印加する電圧の基準電位を与える水側電極部と、
前記誘導電極部を前記噴出ノズル部からの噴出水が分裂して前記水粒子を生成する部位近傍に保持させる誘導電極保持部と、
が設けられた帯電水粒子散布装置に於いて、
前記誘導電極部は導電性のある電極心材を絶縁材にて被覆して形成され、
前記誘導電極保持部は、
前記誘導電極部の保持位置を決める絶縁体材質の誘導電極保持アームと、
前記誘導電極部を、前記誘導電極保持アームの電極保持位置に固定する誘導電極押えと、
を前記誘導電極部のリング部に対して少なくとも３箇所で支えるように備え、
前記誘導電極保持アームは、柱部とアーム部で構成され、前記アーム部の電極保持位置には、前記誘導電極押えの固定により前記誘導電極部の前記リング部が嵌合される溝が形成され、前記柱部の内部には本体部への取り付けの穴を設けると共に、前記アーム部は前記誘導電極押えを固定するねじ穴を設け、
前記誘導電極部のリング部を前記アーム部の前記電極保持位置にあてがった状態で前記誘導電極押えの前記ねじ穴を通したねじの前記アーム部への締め付け固定で形成された前記溝に嵌合させることにより、前記リング部のリング中心が前記噴射ノズルのノズル中心と一致して保持されるように構成されたことを特徴とする帯電水粒子散布装置。
【発明の詳細な説明】
【技術分野】
【０００１】
本発明は、水粒子に帯電して散布させる帯電水粒子散布装置に関する。
【背景技術】
【０００２】
従来、水等の液体の微粒子を帯電して放出させる帯電水粒子装置にあっては、噴射ノズルの噴射空間側に配置した誘導電極部と、噴射ノズルの内部に配置されて水に接触する水側電極部とを備え、電源により誘導電極部と水側電極部との間に電圧を加えることにより生じる外部電界を、噴射ノズルにより噴射過程にある水粒子に印加して、噴射される水粒子を帯電させるようにしている。
【０００３】
このような静電噴霧発生装置によれば、平均粒子径が１０〜３００μｍの水粒子を放出させることができ、例えば建物の解体現場等において帯電水粒子からなる帯電水幕を形成し、この帯電水幕の形成領域内の空気中に浮遊した粉塵を帯電水粒子に電気的に吸着させて捕捉し、帯電水粒子とともに粉塵を落下させて空気中から除去することが可能になる。
【０００４】
従来の帯電水粒子散布装置は、加圧された水を噴出ノズル部に導く絶縁体材質で作られた液体導管部、液体導管部から加圧供給された水を噴出し水粒子群を生成する噴射ノズル部、所定の電圧が印加されて所定の電界を形成し、噴出ノズル部で生成した水粒子群を電界によって誘導帯電させて帯電した水粒了群を生成するリング形状の誘導電極部、及び、水と接触して誘導電極部に印加する電圧の基準電位を与える水側電極部で構成されており、誘導電極部は複数本の保持アームを備えた誘導電極保持アーム構造により噴出ノズル部からの噴出水が分裂して水粒子を生成する部位近傍に保持されている。
【先行技術文献】
【特許文献】
【０００５】
【特許文献１】特開２０１３−２２６５２７号公報
【特許文献２】特開２０１３−２２６５２８号公報
【特許文献３】特開２０１３−２３０１８５号公報
【発明の概要】
【発明が解決しようとする課題】
【０００６】
ところで、従来の帯電水粒子散布装置にあっては、水散布を扱う環境で数キロボルトの高電圧を印加する誘導電極部は導電性のある金属製の電極心材を１００μｍから６０００μｍという厚めの絶縁材で被覆している。
【０００７】
また、誘導電極部は、電極保持アームにより誘導電極部におけるリング部のリング中心が噴射ノズルのノズル中心と一致するよう位置を調整しなければならず、且つ、かつ位置ずれを防ぐために一定の押し圧力を与える位置を探して固定するようにしている。
【０００８】
しかしながら、誘導電極部の電極心材の形状寸法が同一であっても１００μｍから６０００μｍという厚めの絶縁材で被覆するとき、その被覆厚さを正確に所定値にコントロールすることは技術的に困難であり、取り付ける誘導電極部ごとにミリ単位で被覆厚が異なることがあり、従来の誘導電極保持アーム構造では、保持アームそれぞれについて装置ボディーとの固定位置をリング状の誘導電極部のノズル中心となるように移動しながら調整し且つ保持のための一定の押し圧力を与える位置を探さなければならないという、困難な作業が必要となる。この作業は、噴出ノズルと誘導電極部が離れていることもあり、目視による位置決め及び固定が困難であった。
【０００９】
さらに、誘導電極部は絶縁被覆材に汚れ又は傷が認められたときには、絶縁性能維持のために交換する必要があり、交換するためには、従来は、帯電水粒子散布装置全体を設置場所から取り外してから、固定されている保持アームをはずして誘導電極部を交換するという面倒な作業が必要であった。
【００１０】
本発明は、絶縁材の被覆により外径が異なっても、誘導電極部におけるリング部のリング中心が噴射ノズルのノズル中心と一致するよう保持させる作業を簡単且つ容易に行えるようにする帯電水粒子散布装置を提供することを目的とする。
【課題を解決するための手段】
【００１１】
（帯電水粒子散布装置の第１発明）
本発明は、
装置ボディーに、
加圧された水を噴出ノズル部に導く絶縁体材質で作られた液体導管部と、
液体導管部から加圧供給された水を噴出し水粒子群を生成する噴射ノズル部と、
所定の電圧が印加されて所定の電界を形成し、噴出ノズル部で生成した水粒子群を電界によって誘導帯電させて帯電した水粒子群を生成するリング形状の誘導電極部と、
液体導管部の内部に配置されるか、又は、液体導管部の一部分を導体材質とすることで構成され、水と接触して誘導電極部に印加する電圧の基準電位を与える水側電極部と、
誘導電極部を噴出ノズル部からの噴出水が分裂して水粒子を生成する部位近傍に保持させる誘導電極保持部と、
が設けられた帯電水粒子散布装置に於いて、
誘導電極部は導電性のある電極心材を絶縁材にて被覆して形成され、
誘導電極保持部は、誘導電極部の保持位置を決める絶縁体材質のテコ構造の誘導電極保持アームを備え、
誘導電極保持アームは、誘電電極部のリング部を取り囲む少なくとも３カ所に配置され、テコ構造の作用点となる把持部をリング部の外周部の少なくとも３箇所に当接してリング部を三方から中心方向に挟持し、テコ構造の支点に当たる部分を装置ボディーに形成されたボディー溝に当接させ、テコ構造の力点部の全カ所に対して同時に、プレートを介して、押圧部から所定の締め付け力を与えることで、リング部の外周部に当接した把持部に同時に押圧力を与え、リング部のリング中心が噴射ノズル部のノズル中心と概ね一致して保持されるように構成されたことを特徴とする。
【００１２】
（帯電水粒子散布装置の第２発明）
本発明は、
装置ボディーに
加圧された水を噴出ノズル部に導く絶縁体材質で作られた液体導管部と、
液体導管部から加圧供給された水を噴出し水粒子群を生成する噴射ノズル部と、
所定の電圧が印加されて所定の電界を形成し、噴出ノズル部で生成した水粒子群を電界によって誘導帯電させて帯電した水粒子群を生成するリング形状の誘導電極部と、
液体導管部の内部に配置されるか、又は、液体導管部の一部分を導体材質とすることで構成され、水と接触して誘導電極部に印加する電圧の基準電位を与える水側電極部と、
誘導電極部を噴出ノズル部からの噴出水が分裂して水粒子を生成する部位近傍に保持させる誘導電極保持部と、
が設けられた帯電水粒子散布装置に於いて、
誘導電極部は導電性のある電極心材を絶縁材にて被覆して形成され、
誘導電極保持部は、
誘導電極部の保持位置を決める絶縁体材質の誘導電極保持アームと、
誘導電極部を、誘導電極保持アームの電極保持位置に固定する誘導電極押えと、
を誘導電極部のリング部に対して少なくとも三カ所で支えるように備え、
誘導電極保持アームは、柱部とアーム部で構成され、アーム部の電極保持位置には、誘導電極押えの固定により誘導電極部のリング部が嵌合される溝が形成され、柱部の内部には本体部への取り付けの穴を設けると共に、アーム部は誘導電極押えを固定するねじ穴を設け、
誘導電極部のリング部をアーム部の電極保持位置にあてがった状態で誘導電極押えのねじ穴を通したねじのアーム部への締め付け固定で形成された溝に嵌合させることにより、リング部のリング中心が前記噴射ノズルのノズル中心と一致して保持されるように構成されたことを特徴とする。
【発明の効果】
【００１３】
（第１発明の効果）
本発明は、装置ボディーに、加圧された水を噴出ノズル部に導く絶縁体材質で作られた液体導管部と、液体導管部から加圧供給された水を噴出し水粒子群を生成する噴射ノズル部と、所定の電圧が印加されて所定の電界を形成し、噴出ノズル部で生成した水粒子群を電界によって誘導帯電させて帯電した水粒子群を生成するリング形状の誘導電極部と、液体導管部の内部に配置されるか、又は、液体導管部の一部分を導体材質とすることで構成され、水と接触して誘導電極部に印加する電圧の基準電位を与える水側電極部と、誘導電極部を噴出ノズル部からの噴出水が分裂して水粒子を生成する部位近傍に保持させる誘導電極保持部とが設けられた帯電水粒子散布装置に於いて、誘導電極部は導電性のある電極心材を絶縁材にて被覆して形成され、誘導電極保持部は、誘導電極部の保持位置を決める絶縁体材質のテコ構造の誘導電極保持アームを備え、誘導電極保持アームは、誘導電極部のリング部を取り囲む少なくとも３箇所に配置され、テコ構造の作用点となる把持部をリング部の外周部の少なくとも３個所に当接してリング部を三方から中心方向に挟持し、テコ構造の支点に当たる部分を装置ホディに形成されたボディー溝に当接させ、テコ構造の力点部の全箇所に対して同時に、プレートを介して、押圧部から所定の締め付け力を与えることで、リング部の外周部に当接した把持部に同時に押圧力を与え、リング部の中心軸線が噴射ノズルの中心軸線と一致して保持されるように構成されたため、誘導電極部のリング部の被覆厚が誘導電極部ごとに異なっている場合においても、誘導電極部の外周部に当接した把持部に、リング部のリング中心に向かって、同心円の変位による押圧力を与え、誘導電極部のリング部の中心軸線が噴射ノズルの中心軸線と自動的に一致するように保持することができ、組み立て作業又は誘導電極部の掃除や交換時において、誘導電極部の誘導電極保持アーム及び電極押えの取付け取外しが誘導電極部側の空間からの作業で行えると共に、誘導電極部の中心合わせが不要又は容易で確実となり、作業員の技能によらず常に噴射ノズル部からの噴流に対して誘導電極部のリング部は適正な位置に保持することができ、常に良好な帯電性能が得られる。
【００１４】
（第２発明の効果）
本発明は、装置ボディーに、加圧された水を噴出ノズル部に導く絶縁体材質で作られた液体導管部と、液体導管部から加圧供給された水を噴出し水粒子群を生成する噴射ノズル部と、所定の電圧が印加されて所定の電界を形成し、噴出ノズル部で生成した水粒子群を電界によって誘導帯電させて帯電した水粒子群を生成するリング形状の誘導電極部と、液体導管部の内部に配置されるか、又は、液体導管部の一部分を導体材質とすることで構成され、水と接触して誘導電極部に印加する電圧の基準電位を与える水側電極部と、誘導電極部を噴出ノズル部からの噴出水が分裂して水粒子を生成する部位近傍に保持させる誘導電極保持部とが設けられた帯電水粒子散布装置に於いて、誘導電極部は導電性のある電極心材を絶縁材にて被覆して形成され、誘導電極保持部は、誘導電極部の保持位置を決める絶縁体材質の誘導電極保持アームと、誘導電極部を、誘導電極保持アームの電極保持位置に固定する誘導電極押えとを誘導電極部のリング部に対して少なくとも３箇所で支えるように備え、誘導電極保持アームは、柱部とアーム部で構成され、アーム部の電極保持位置には、誘導電極押えの固定により誘導電極部のリング部が嵌合される溝が形成され、柱部の内部には本体部への取り付けの穴を設けると共に、アーム部は誘導電極押えを固定するねじ穴を設け、誘導電極部のリング部をアーム部の電極保持位置にあてがった状態で誘導電極押えのねじ穴を通したねじのアーム部への締め付け固定で形成された溝に嵌合させることにより、リング部のリング中心が前記噴射ノズルのノズル中心と一致して保持されるように構成されたされたため、誘導電極保持部のアーム部の電極保持位置には、誘導電極押えの固定により誘導電極部のリング部が嵌合される溝が形成され、リング部材の中心直径は絶縁被覆の厚さに左右されないことから、誘導電極保持アームに対する誘導電極押えの固定により形成される溝はリング部の中心直径が含まれる溝となり、溝の位置は誘導電極部の被覆厚さとは関係なくリング部の中心直径に沿っていれば、被覆表面の形状は溝位置に適合することから、誘導電極部を誘導電極保持アームに調整することなく電極保持位置に乗せてそのまま誘導電極押さえにて固定することにより形成される溝に嵌合させるだけで、所定位置に保持することができ、組み立て作業又は誘導電極部の掃除や交換時において、誘導電極部の誘導電極保持アーム及び電極押えの取付け取外しが誘導電極部側の空間からの作業で行えると共に、誘導電極部の中心合わせが容易で確実となり、作業員の技能によらず常に噴射ノズル部からの噴流に対して誘導電極部のリング部は適正な位置に保持することができ、常に良好な帯電性能が得られる。
【図面の簡単な説明】
【００１５】
【図１】帯電水粒子散布装置の第１実施形態を示した説明図
【図２】図１の帯電水粒子散布装置の内部構造を示した断面図
【図３】図１の帯電水粒子散布装置の誘導電極部を取り出して示した説明図
【図４】帯電水粒子散布装置の第２実施形態を示した説明図
【発明を実施するための形態】
【００１６】
図１は帯電水粒子散布装置の第１実施形態を示した説明図であり、図１（Ａ）は正面を示し、図１（Ｂ）は一部を破断して側面を示し、図１（Ｃ）はプレートを取り出して示し、図１（Ｄ）は平面を示す。図２は図１の帯電水粒子散布装置の内部構造を示した断面図であり、図１（Ｄ）のＸ−Ｘ断面を示す。図３は図１の帯電水粒子散布装置の誘導電極を取り出して示した説明図である。
【００１７】
（基本的な構造）
図１（Ａ）、図１（Ｂ）及び図２に示すように、本実施形態の帯電水粒子散布装置１０は、装置ボディー１２、ボディーカバー１４、液体導管部１６，水側電極部１７、噴射ノズル部１８、誘導電極部２０、誘導電極保持部２４で構成される。
【００１８】
装置ボディー１２、ボディーカバー１４、液体導管部１６、噴射ノズル部１８及び誘導電極保持部２４は絶縁材質で作られており、この絶縁材質は、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００１９】
装置ボディー１２の内部には軸心線３６の方向に貫通穴が形成され、下側から水側電極部１７が嵌め込まれ、その上側に液体導管部１６が嵌め込まれ、水側電極部１７には電極連結部１９が接続されている。電極連結部１９にはねじ穴１９ａが設けられ、装置ボディー１２の横方向に形成された水側電極ケーブル接続穴２２から挿入されたアースケーブルの接続が行われる。また、液体導管部１６の上部はボディーカバー１４を介して外部に取出され、外部のポンプ等で加圧された水が供給される。液体導管部１６に供給される水の圧力は例えば０．１〜１．０ＭＰａの範囲で調整される。
【００２０】
水側電極部１７及び電極連結部１９は金属の導電材質で作られている。水側電極部１７及び電極連結部１９の導電材質は、金属以外に、導電性を有する樹脂、繊維束、ゴム等を用いて形成されてもよく、また、これらを組み合わせた複合体を用いて形成されていてもよい。
【００２１】
装置ボディー１２の軸方向に配置された水側電極部１７の先端側には噴射ノズル部１８が設けられている。噴射ノズル部１８は、平均粒子径が１０〜３００μｍの水粒子を放出させ、例えば建物の解体現場等において帯電水粒子からなる帯電水幕を形成し、この帯電水幕の形成領域内の空気中に浮遊した粉塵を帯電水粒子に電気的に吸着させて捕捉し、帯電水粒子とともに粉塵を落下させて空気中から除去することが可能になる。
【００２２】
噴射ノズル１８の先端側の解放空間には、誘導電極保持部２４により誘導電極部２０が配置される。誘導電極部２０は、図３に取出して示すように、導電性のある電極心材２０ｂを絶縁被覆２０ｃにて被覆して形成され、上下方向に配置された支持部２０ｄの下部先端にリング形状のリング部２０ａが形成されている。
【００２３】
誘導電極部２０の電極心材２０ｂは導電性を持つ金属であり、金属以外に、導電性を有する樹脂、繊維束、ゴム等を用いて形成されてもよく、また、これらを組み合わせた複合体を用いて形成されていてもよい。
【００２４】
また、誘導電極部２０における絶縁被覆２０ｃの絶縁材質としては、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００２５】
水側電極部１７と誘導電極部２０に対しては、図示しない電源部からアースケーブルと電圧印加ケーブルが接続され、水側電極部１７と誘導電極部２０の間に＋０．５ｋＶ〜＋２０ｋＶまたは−０．５Ｋｖ〜−２０ｋＶの範囲の直流（交流またはパルス状）の所定電圧を印加すると、誘導電極部２０のリング部２０ａの周囲に所定の外部電界が形成され、噴射ノズル部１８からの噴出水が分裂点Ａ付近で分裂して水粒子が生成されることから、分裂点Ａで生成された水粒子に帯電させ、帯電された水粒子の噴霧流を放出させる。
【００２６】
例えば、誘導電極部２０に直流電圧を印加した場合には、誘導電極部２０の極性に応じて、正電荷と負電荷の何れか一方の帯電した水粒子が生成される。また、交流、パルス状で電圧を印加すると、交互に切り替わる誘導電極部２０の極性に応じて、選択的に正電荷あるいは負電荷で帯電した水粒子が生成される。
【００２７】
また、電源部による誘導電極部２０に印加する電圧を、＋０．５ｋＶ〜＋２０ｋＶまたは−０．５Ｋｖ〜−２０ｋＶの範囲で一定電圧としてもよいし、変動させてもよい。そして、このように＋０．５ｋＶ〜＋２０ｋＶまたは−０．５Ｋｖ〜−２０ｋＶの範囲にすると、火花放電の発生が防止され、安全を確保しながら帯電した水粒子の噴霧流が生成される。
【００２８】
（誘導電極部の保持構造）
図１及び図２に示すように、誘導電極保持部２４は、装置ボディー１２の下側外周に形成されたボディー溝３０、誘導電極部２０の保持位置を決める３本の誘導電極保持アーム２６、プレート３２及び押圧部３４で構成される。誘導電極保持アーム２６、プレート３２及び押圧部３４は絶縁材質で作られており、この絶縁材質は、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００２９】
プレート３２は図１（Ｃ）に取出して示すように、リングプレートの内側にリング穴３２ａが形成され、外周の３箇所に誘導電極保持アーム２６を嵌め入れる矩形溝３４ｂが形成されている。
【００３０】
誘導電極保持部２４による誘導電極部２０の装置ボディー１２に対する組み付けは、プレート３２の矩形溝３４ｂに誘導電極保持アーム２６を配置した状態でボディー１２の下部に配置された噴射ノズル部１８の外側に嵌め入れ、続いて、押圧部３４を下側からねじ込む。この状態で、誘導電極保持アーム２６の下端内側に形成された把持部２８の内側に誘導電極部２０のリング部２０ａを嵌め入れた状態で押圧部３４をねじ込み、プレート３２を介して誘導電極保持アーム２６を装置ボディー１２に固定させる。
【００３１】
ここで、誘導電極保持アーム２６は誘導電極部２０の保持位置を決めるテコ構造であり、テコ構造の作用点Ｑとなる把持部２８をリング部２０ａの外周部の少なくとも３箇所に当接してリング部２０ａを三方から中心方向に挟持し、テコ構造の支点Ｐに当たる部分をボディー溝３０に当接させ、テコ構造の力点Ｒの全箇所に対して同時に、プレート３２を介して、押圧部３４から所定の締め付け力を与えることで、リング部２０ａの外周部に当接した把持部２８に同時に押圧力を与え、リング部２０ａのリング中心軸線が自動的に噴射ノズル部１８のノズル中心軸線３６と一致して保持される。
【００３２】
このため、誘導電極部２０のリング部２０ａの被覆厚さが誘導電極部２０ごとに異なっている場合においても、誘導電極部２０の外周部に当接した把持部２８に、リング部２０ａのリング中心に向かって、同心円の変位による押圧力を与え、誘導電極部２０のリング部２０ａの中心軸線が噴射ノズル部１８の軸心線３６と自動的に一致するように保持することができ、帯電水粒子散布装置１０の組み立て作業又は誘導電極部２０の掃除や交換時において、誘導電極部２０の取付け取外しが誘導電極部２０側の空間からの作業で行えると共に、誘導電極部２０の中心合わせが不要又は容易で確実となり、作業員の技能によらず常に噴射ノズル部１８からの噴流に対して誘導電極部２０のリング部２０ａは適正な位置に保持することができ、噴射ノズル部１８から噴射される水粒子の噴霧流に対し常に良好な帯電性能が得られる。
【００３３】
［帯電水粒子散布装置の第２実施形態］
図４は帯電水粒子散布装置の第２実施形態を示した説明図であり、図４（Ａ）は全体構成を示し、図４（Ｂ）は誘導電極保持アームを取り出して断面で示す。
【００３４】
図４に示すように、本実施形態の帯電水粒子散布装置１０は、装置ボディー１２、液体導管部１６、噴射ノズル部１８、誘導電極部２０、誘導電極保持部４４で構成され、誘導電極保持部４４以外は図１乃至図３に示した第１実施形態と基本的に同じになることから、その説明は省略する。
【００３５】
本実施形態の誘導電極保持部４４は、誘導電極部２０の保持位置を決める３本の誘導電極保持アーム４６と、誘導電極部２０を誘導電極保持アーム４６の電極保持位置に固定する誘導電極押え４８で構成される。誘導電極保持アームと４６と誘導電極押え４８は、絶縁材質で作られており、この絶縁材質は、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００３６】
誘導電極保持アーム４６はボディー１２の上部に形成されたフランジ部１２ａの３箇所に下向きに固定され、誘導電極部２０のリング部２０ａに対して少なくとも３箇所で支えるように配置されている。誘導電極保持部４４は、柱部４６ａとアーム部４６ｂで構成され、アーム部４６ｂの電極保持位置には、誘導電極押え４８の先端の押え部４８ａが配置されることで、誘導電極部２０のリング部２０ａの中心直径が含まれるＶ溝４６ｃが形成され、柱部４６ａの内部には装置ボディー１２への通し穴４６ｄが設けられると共に、アーム部４６ｂは誘導電極押え４８を固定するねじ穴４６ｅが設けられている。
【００３７】
誘導電極保持部４４による誘導電極部２０の装置ボディー１２に対する組み付けは、誘導電極部２０のリング部２０ａを誘導電極保持アーム４６におけるアーム部４６ｂのＶ溝４６ｃにあてがった状態で誘導電極押え４８を、通し穴４８ｂを通したねじ５０のアーム部４６ｂへ締め付け固定する。これにより誘導電極部２０におけるリング部２０ａのリング中心軸線が噴射ノズル部１８の軸心線３６と一致して保持される。
【００３８】
このため、電極保持アーム４６のアーム部４６ｂの電極保持位置には、誘導電極部２０のリング部２０ａの中心直径に沿ったＶ溝４６ｃが形成されており、リング部２０ａの中心直径は絶縁被覆２０ｃの厚さに左右されないことから、誘導電極保持アーム４６のＶ溝４６ｃの位置は誘導電極部２０の絶縁被覆２０ｃの被覆厚さとは関係なくリング部２０ａの中心直径に沿っていれば、被覆表面の形状はＶ溝４６ｃの位置に適合することから、誘導電極部２０を誘導電極保持アーム４６のアーム部４６ｂのＶ溝４６ｃに調整することなく乗せてそのまま誘導電極保持アーム押え４８にて固定するだけで、所定位置に保持することができる。
【００３９】
その結果、帯電水粒子散布装置１０の組み立て作業又は誘導電極部２０の掃除や交換時において、誘導電極部２０の誘導電極保持アーム４６及び誘導電極押え４８の取付け取外しが誘導電極部２０側の空間からの作業で行えると共に、誘導電極部２０の中心合わせが容易で確実となり、作業員の技能によらず常に噴射ノズル部１８からの水粒子の噴流に対して誘導電極部２０のリング部２０ａは適正な位置に保持することができ、常に良好な帯電性能が得られる。
［本発明の変形例］
【００４０】
上記の実施形態は、液体導管部の内部に導体材質で作られた水側電極部を配置しているが、絶縁体材質で作られた液体導管部の一部分を導体材質とすることで水側電極部を構成してもよい。
【００４１】
また、本発明は、その目的と利点を損なうことのない適宜の変形を含み、更に、上記の実施形態に示した数値による限定は受けない。
【符号の説明】
【００４２】
１０：帯電水粒子散布装置
１２：装置ボディー
１４：ボディーカバー
１６：液体導管部
１７：水側電極部
１８：噴射ノズル部
２０：誘導電極部
２０ａ：リング部
２０ｂ：電極心材
２０ｃ：絶縁被覆
２２：水側電極ケーブル接続穴
２４，４４：誘導電極保持部
２６，４６：誘導電極保持アーム
２８：把持部
３０：ボディー溝
３２：プレート
３４：押圧部
３６：軸心線
４６ａ：柱部
４６ｂ：アーム部
４６ｃ：Ｖ溝
４６ｄ，４８ｂ：通し穴
４８：誘導電極押え
５０，５２：ねじ
【図１】
2018183712.tif 000003
【図２】
2018183712.tif 000004
【図３】
2018183712.tif 000005
【図４】
2018183712.tif 000006